(57)【特許請求の範囲】
【請求項１】
少なくとも吸液性シートを含み、裏面側に衣服の襟元に貼着するための粘着剤層が形成されるとともに、前記粘着剤層が剥離紙によって剥離可能に覆われた襟用吸汗シートであって、
前記粘着剤層は、襟用吸汗シートの長手方向中央部において、該襟用吸汗シートの短手方向の一方側に偏倚する領域に形成されるとともに、襟用吸汗シートの長手方向両端部に向けて襟用吸汗シートの短手方向の他方側に漸次拡大する領域に形成されていることを特徴とする襟用吸汗シート。
【請求項２】
前記剥離紙は、襟用吸汗シートの長手方向中央部で分割されるか、あるいは分割可能な分割線が設けられている請求項１記載の襟用吸汗シート。
【請求項３】
前記剥離紙は、襟用吸汗シートの長手方向中央部で分割されるか、あるいは分割可能な分割線が設けられるとともに、前記分割部分又は分割線を含む長手方向中央部であって、襟用吸汗シートの短手方向のうち前記粘着剤層が設けられている側の端部に切欠き部が設けられている請求項１記載の襟用吸汗シート。
【請求項４】
前記剥離紙は、襟用吸汗シートの長手方向中央部で分割され、該長手方向中央部において重なり代を持つように配設されている請求項１記載の襟用吸汗シート。
【請求項５】
前記粘着剤層には、前記剥離紙の分割部分又は分割線を含む長手方向中央部であって、襟用吸汗シートの短手方向のうち前記粘着剤層が設けられている側の端部に、該粘着剤層が形成されない非形成部が設けられている請求項２、３いずれかに記載の襟用吸汗シート。
【請求項６】
前記粘着剤層は、襟用吸汗シートの長手方向中央部であって襟用吸汗シートの短手方向の一方側から、襟用吸汗シートの長手方向両端部であって襟用吸汗シートの短手方向の他方側に向け、斜め上方向に縞状に形成されている請求項２〜４いずれかに記載の襟用吸汗シート。
【発明の詳細な説明】
【技術分野】
【０００１】
本発明は、肌と接する衣服の襟元の内側に貼着して汗や皮脂などを吸収することにより、衣服の襟元が汚れるのを防止した襟用吸汗シートに関する。
【背景技術】
【０００２】
近年では、節電意識の高まりから企業においてクールビズやサマータイムが取り入れられ、エアコンの使用時間の短縮、設定温度の見直し等が図られている。そんな中、職場や外出先で汗をかく機会が多くなり、首周りのべたつきや汗じみによる不快感を解消したいというニーズが高まっており、その対策として各種の襟用吸汗シートが市販されている。
【０００３】
従来より、かかる襟用吸汗シートとして、少なくとも吸液性シートを含み、裏面側のほぼ全面に、衣服の襟元に貼着するための粘着剤層が形成されるとともに、前記粘着剤層が剥離紙によって剥離可能に覆われたものが知られている。
【０００４】
この種の襟用吸汗シートとして、下記特許文献１には、装着時の装着性を向上させるため、襟の下部に対応する保護用布の下端３〜１０ｍｍには全長に亘って接着層が塗着形成されていないものが開示されており、これによって接着層のない部分が３〜１０ｍｍであるため保護用布が上方にめくれ上がることがなく、接着層が保護用布に閉じ込められて、人体あるいは下着と接触することがないという効果が記載されている。また、下記特許文献２には、取り付けを簡単にするため、襟の内側に貼り付ける粘着面を保護するシートの中央部に切れ目を設けたものが開示されている。
【先行技術文献】
【特許文献】
【０００５】
【特許文献１】登録実用新案第３０５２２１９号
【特許文献２】特開２０１０−２６１１３９号公報
【発明の概要】
【発明が解決しようとする課題】
【０００６】
しかしながら、上記特許文献１記載のものでは、シャツを着たままシートを襟の内側に貼着させようとすると、襟元の髪の毛が粘着剤層にくっついて、粘着剤層と襟との間に挟まってしまい、髪の毛が引っ張られて痛い思いをしたり、貼着不良によりシートがずれたりする問題があった。
【０００７】
また、粘着剤層が下端の一部を除いてほぼ全面に設けられているにもかかわらず、この粘着剤層が１枚の剥離紙によって覆われているため、装着前に剥離紙を剥がして、粘着剤層の全面を露出させてから襟に貼着しなければならなかった。このような襟用吸汗シートをシャツを着たまま貼着しようとすると、着用者の襟首に当たる襟の後側に貼着するという作業が必要になるため、全面が露出した粘着剤層が意図しない部分に貼着したり、粘着剤層同士がくっついたりする問題があった。
【０００８】
一方、上記特許文献２記載のものでは、粘着面保護シートの中央部に切れ目が設けられているため、一方側の保護シートを剥がし、襟の内側に貼着した後、他方側の保護シートを剥がしてさらに貼着させるというように、片方ずつ取り付けることが可能となり、上述の問題が解決できるようにも思われるが、粘着剤層がほぼ全面に形成されているため、シャツを着たまま他方側の保護シートを剥がそうとすると抵抗力が大きくなり、一度貼着したはずの一方側が剥がれたりずれたりして、スムーズに貼着できないという問題があった。
【０００９】
そこで本発明の主たる課題は、衣服を着たままでも衣服の襟元に貼着しやすくした襟用吸汗シートを提供することにある。
【課題を解決するための手段】
【００１０】
上記課題を解決するために請求項１に係る本発明として、少なくとも吸液性シートを含み、裏面側に衣服の襟元に貼着するための粘着剤層が形成されるとともに、前記粘着剤層が剥離紙によって剥離可能に覆われた襟用吸汗シートであって、
前記粘着剤層は、襟用吸汗シートの長手方向中央部において、該襟用吸汗シートの短手方向の一方側に偏倚する領域に形成されるとともに、襟用吸汗シートの長手方向両端部に向けて襟用吸汗シートの短手方向の他方側に漸次拡大する領域に形成されていることを特徴とする襟用吸汗シートが提供される。
【００１１】
上記請求項１記載の発明では、襟用吸汗シートの裏面側に形成される粘着剤層として、襟用吸汗シートの長手方向中央部において、該襟用吸汗シートの短手方向の一方側に偏倚する領域に形成するとともに、襟用吸汗シートの長手方向中央部から連続して襟用吸汗シートの長手方向両端部に向けて襟用吸汗シートの短手方向の他方側に漸次拡大する領域に形成する構造としている。すなわち、粘着剤層が裏面側の全面に亘って形成されるのではなく、襟用吸汗シートの長手方向中央部において襟用吸汗シートの短手方向の一方側に偏倚した領域に形成してある。かかる襟用吸汗シートを装着するには、襟用吸汗シートの短手方向のうち粘着剤層が形成された一方側を下側とし、粘着剤層が形成されない他方側を上側として、襟用吸汗シートの長手方向を襟の首周りに沿って衣服の襟元の内側に貼着する。これにより、シャツを着たまま襟用吸汗シートを貼着する際、襟用吸汗シートの長手方向中央部の上側には粘着剤層が形成されていないため襟元の髪の毛が粘着剤層と襟の間に挟まって邪魔になることがなく、髪の毛が引っ張られたり貼着不良を生じることがなくなる。従って、衣服を着たままでも衣服の襟元に襟用吸汗シートを貼着しやすくなる。
【００１２】
一方、粘着剤層が襟用吸汗シートの長手方向両端部に向けて襟用吸汗シートの短手方向の他方側に漸次拡大する領域に形成されているため、襟用吸汗シートの長手方向両端部では襟の上側から下側までしっかりと固定できるようにしてある。
【００１３】
請求項２に係る本発明として、前記剥離紙は、襟用吸汗シートの長手方向中央部で分割されるか、あるいは分割可能な分割線が設けられている請求項１記載の襟用吸汗シートが提供される。
【００１４】
上記請求項２記載の発明では、粘着剤層を剥離可能に覆う剥離紙として、襟用吸汗シートの長手方向中央部で分割してあるか、あるいは分割可能な分割線（例えばミシン目）を設けたものを用いている。かかる襟用吸汗シートを装着するには、前記分割部分又は分割線の一方側（粘着剤層が形成された側）の端部から、少しだけ剥離紙をめくって粘着剤層の一部を露出させておき、この露出した粘着剤層を衣服の仮止め用として襟用吸汗シートを所定の位置に仮止めしておき、その後更に左右に剥離紙を剥がすことによってしっかりと貼着する。このように、剥離紙は、襟用吸汗シートの長手方向中央部に分割部分又は分割線を設けておくことによって、剥離紙を全て剥がさずに襟用吸汗シートを固定することができるため、粘着剤層が髪の毛にくっついたり、粘着剤層同士がくっついたりすることがなくなり、衣服を着たままでも衣服の襟元に貼着しやすくなる。
【００１５】
更に、襟用吸汗シートを襟元に仮止め後、剥離紙を左右に剥がす際、粘着剤層が襟用吸汗シートの長手方向両端部に向けて短手方向の他方側に漸次拡大する領域に形成されているため、粘着剤層を全面に形成したときより剥離時の抵抗力が小さくなり、スムーズに剥離することができ、仮止めした吸汗シートが剥がれたりずれたりすることなく、スムーズな貼着作業が可能になる。
【００１６】
請求項３に係る本発明として、前記剥離紙は、襟用吸汗シートの長手方向中央部で分割されるか、あるいは分割可能な分割線が設けられるとともに、前記分割部分又は分割線を含む長手方向中央部であって、襟用吸汗シートの短手方向のうち前記粘着剤層が設けられている側の端部に切欠き部が設けられている請求項１記載の襟用吸汗シートが提供される。
【００１７】
上記請求項３記載の発明では、剥離紙として襟用吸汗シートの長手方向中央部で分割されるかあるいは分割可能な分割線が設けられたものを使用した場合、前記分割部分又は分割線を含む襟用吸汗シートの長手方向中央部であって、襟用吸汗シートの短手方向のうち粘着剤層が設けられている側（短手方向の一方側）の端部に切欠き部を設けるようにしている。このため、この切欠き部から剥離紙を剥がしやすくなり、貼着作業がしやすくなる。
【００１８】
請求項４に係る本発明として、前記剥離紙は、襟用吸汗シートの長手方向中央部で分割され、該長手方向中央部において重なり代を持つように配設されている請求項１記載の襟用吸汗シートが提供される。
【００１９】
上記請求項４記載の発明では、剥離紙として襟用吸汗シートの長手方向中央部で分割されたものを用いた場合において、この分割部分で左右の剥離紙が互いに重なり代を持つように配設することにより、剥離紙の端部が摘みやすくなり、剥離紙の剥離がしやすくなる。
【００２０】
請求項５に係る本発明として、前記粘着剤層には、前記剥離紙の分割部分又は分割線を含む長手方向中央部であって、襟用吸汗シートの短手方向のうち前記粘着剤層が設けられている側の端部に、該粘着剤層が形成されない非形成部が設けられている請求項２、３いずれかに記載の襟用吸汗シートが提供される。
【００２１】
上記請求項５記載の発明では、剥離紙の分割部分又は分割線を含む長手方向中央部であって、襟用吸汗シートの短手方向のうち粘着剤層が設けられている側（短手方向の一方側）の端部に、粘着剤層が形成されない非形成部を設けてあるため、この非形成部から剥離紙がめくりやすくなる。
【００２２】
請求項６に係る本発明として、前記粘着剤層は、襟用吸汗シートの長手方向中央部であって襟用吸汗シートの短手方向の一方側から、襟用吸汗シートの長手方向両端部であって襟用吸汗シートの短手方向の他方側に向け、斜め上方向に縞状に形成されている請求項２〜４いずれかに記載の襟用吸汗シートが提供される。
【００２３】
上記請求項６記載の発明では、粘着剤層を、剥離紙を剥がす方向とほぼ同じ方向に沿う縞状に形成してあるため、剥離紙を剥離する際の抵抗力が低減し、剥離紙を縞状の粘着剤層の長手方向に沿って剥がしやすくなり、スムーズな貼着作業が可能になる。
【発明の効果】
【００２４】
以上詳説のとおり本発明によれば、衣服を着たままでも衣服の襟元に貼着しやすくした襟用吸汗シートが提供できるようになる。
【図面の簡単な説明】
【００２５】
【図１】本発明に係る襟用吸汗シート１の一部破断表面図である。
【図２】その裏面図である。
【図３】襟用吸汗シート１の装着状態を示す図である。
【図４】襟用吸汗シート１の使用方法を示す裏面図である。
【図５】襟用吸汗シート１の他の形態例（その１）を示す裏面図である。
【図６】襟用吸汗シート１の他の形態例（その２）を示す裏面図である。
【図７】襟用吸汗シート１の他の形態例（その３）を示す裏面図である。
【図８】襟用吸汗シート１の他の形態例（その４）を示す裏面図である。
【図９】襟用吸汗シート１の他の形態例（その５）を示す裏面図である。
【発明を実施するための形態】
【００２６】
以下、本発明の実施の形態について図面を参照しながら詳述する。
【００２７】
（襟用吸汗シート１の基本構造）
本襟用吸汗シート１は、例えば図１及び図２に示されるように、ポリエチレンシート、ポリプロピレンシートなどからなる不透液性の裏面シート２と、汗や皮脂などの体液を速やかに透過させる透液性の表面シート３と、これら両シート２、３間に介在された綿状パルプ又は合成パルプなどからなる吸収体４と、前記吸収体４を囲繞するクレープ紙５と、前記裏面シート２の裏面側に形成され、衣服の襟元に貼着するための粘着剤層６と、前記粘着剤層６を剥離可能に覆う剥離紙７とから構成されている。
【００２８】
以下、さらに前記襟用吸汗シート１の構造について詳述すると、
前記裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２９】
次いで、前記表面シート３としては、コットン繊維が１００％のコットン不織布を用いることが好ましい。この表面シート３の坪量は２０〜４０、好ましくは３０〜４０ｇ／ｍ２のものが好ましい。前記コットン不織布は、スパンレース法、サーマルボンド法、ニードルパンチ法等の適宜の加工法によって得られた不織布を用いることができるが、柔軟性を持たせ肌当たりをよくするためスパンレース法が好ましい。また、前記表面シート３として、有孔または無孔の不織布や多孔性プラスチックシートなどを用いることもでき、この不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３０】
前記裏面シート２と表面シート３との間に介在される吸収体４は、必要に応じて高吸水性樹脂を混入したパルプ繊維を予めシート状に加工したものが好適に使用され、厚み１〜３mm、高吸水性樹脂を混入した場合の配合はパルプ繊維１０〜２００g/m２、高吸水性樹脂０〜１００g/m２のものが好適に使用される。前記パルプ繊維としては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４としては、パルプシート以外に、パルプ繊維や親和性に優れた樹脂、例えばポリウレタンなどの樹脂を発泡させたスポンジ状の発泡樹脂を基材とする吸収性材料などを用いることができる。前記吸収体４は、図示のように、形状保持、および汗や皮脂等を速やかに拡散させるとともに、一旦吸収した汗や皮脂等の逆戻りを防止するためにクレープ紙５によって囲繞するのが望ましい。
【００３１】
前記粘着剤層６を形成する粘着剤としては、たとえばスチレン系ポリマー、粘着付与剤、可塑剤のいずれかが主成分であるものが好適に使用される。前記スチレン系ポリマーとしては、スチレン−ブタジエン−スチレンブロック共重合体、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−ブタジエン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３２】
前記粘着剤層６を剥離可能に覆う剥離紙７としては、紙以外にプラスチックフィルム等の材料を用いることも可能である。前記剥離紙７の剥離処理は、例えばシリコーン系樹脂、フッ素系樹脂、または四フッ化エチレン系樹脂などの離型処理液を塗工するかスプレー塗布することによって行うことができる。なお、特別に離型処理をしなくても、実質的に粘着力の低下を招かないものであれば、フィルムそのものであっても、不織布そのものであっても良い。
【００３３】
（粘着剤層６及び剥離紙７の構造）
粘着剤層６は、図２に示されるように、裏面シート２の裏面側に対して、襟用吸汗シート１の長手方向中央部において短手方向の一方側（装着時に下側となる側）に偏倚する領域に形成されるとともに、襟用吸汗シート１の長手方向両端部に向けて短手方向の他方側（装着時に上側となる側）に漸次拡大する領域に形成されている。ここで、「長手方向」とは、平面視ほぼ長方形状に形成される襟用吸汗シート１の長軸方向に沿う方向であり、装着時に首周りに相当する方向である。「短手方向」とは、平面視ほぼ長方形状に形成される襟用吸汗シート１の短軸方向に沿う方向であり、装着時に首の上下方向に相当する方向である。
【００３４】
図示例の粘着剤層６について更に詳細に説明すると、粘着剤層６は、襟用吸汗シート１の裏面側のほぼ中央部に襟用吸汗シート１の外縁より若干内側に長方形状の粘着剤層形成エリアＡを画成するとともに、この粘着剤層形成エリアＡを、襟用吸汗シート１の長手方向に対して中央部Ａ１とその長手方向両側の両端部Ａ２、Ａ２との３つのエリアに画成した上で、前記長手方向中央部Ａ１において、粘着剤層形成エリアＡの短手方向の一方側端から所定の幅で長手方向に沿って帯状の領域に形成するとともに、前記長手方向両端部Ａ２、Ａ２において、前記長手方向中央部Ａ１の粘着剤層６から連続して、長手方向両端に向けて短手方向の他方側端に直線状に拡大する領域に形成されている。粘着剤層６が拡大する角度は、剥離紙７を長手方向中央部から両端部に剥がす際の手の動きと平行になるような角度で形成することが好ましく、具体的には長手方向線との成す角度が３０°〜７０°、好ましくは５０°程度とすることが好ましい。図２に示される例では、上述のように形成された領域に対して全面に粘着剤を塗布することにより粘着剤層６が形成されているが、後段で詳述するように、この領域に対して縞状に粘着剤を塗布したり、あるいはドット状、格子状など離散状に粘着剤を塗布することで粘着剤層６を形成してもよい。
【００３５】
このように、本襟用吸汗シート１では、粘着剤層６として、平面視で、長手方向中央部Ａ１において短手方向の一方側（装着時の下側）に偏倚して形成するとともに、この長手方向中央部Ａ１から連続して長手方向両端部Ａ２、Ａ２に向けて短手方向の他方側（装着時の上側）に漸次拡大して形成し、粘着剤層形成エリアＡの全面に亘って形成されるのではなく、長手方向中央部において短手方向の一方側（装着時の下側）に偏倚して形成してあるため、シャツを着たまま襟用吸汗シート１を装着する際、図３に示されるように、長手方向中央部の上側に粘着剤層が形成されないので襟元の髪の毛が粘着剤層と襟の間に挟まって邪魔になることがなく、髪の毛が引っ張られたり貼着不良を生じるような事態がなくなる。従って、衣服を着たままでも衣服の襟元に襟用吸汗シート１を貼着しやすくなる。一方、粘着剤層６が長手方向両端部に向けて短手方向の他方側（装着時の上側）に漸次拡大するように形成されているため、長手方向両端部では襟の上側から下側までしっかりと固定できるようにしてある。
【００３６】
図２に示されるように、長手方向中央部Ａ１における粘着剤層６の塗工幅（襟用吸汗シート１の短手方向長さ）Ｌ１は、粘着剤層形成エリアＡの短手方向長さｈの１／３程度の長さが好ましい。また、長手方向中央部Ａ１の塗工長さ（襟用吸汗シート１の長手方向長さ）Ｌ２は、粘着剤層形成エリアＡの長手方向長さｂの１／２程度の長さが好ましい。この範囲に粘着剤層を形成することにより、多少の圧力がかかっても剥がれたりずれたりしにくくなるとともに、髪の毛がくっつくおそれが軽減する。
【００３７】
このとき粘着剤層６を覆う剥離紙７は、全体として、粘着剤層形成エリアＡを覆う一回り大きな長方形状とすることが望ましい。一方で、粘着剤層６の形状に沿ってこれより一回り大きな形状で形成することも可能である。
【００３８】
前記剥離紙７は、襟用吸汗シート１の長手方向中央部で予め分割されたものを用いるか、あるいは図２に示されるように長手方向中央部に短手方向に沿って分割可能な分割線（図示例ではミシン目８）が設けられたものを用いることが好ましい。
【００３９】
このミシン目８が設けられた剥離紙７を備えた襟用吸汗シート１を装着するには、図４に示されるように、ミシン目８の粘着剤層６が形成された一方側の端部から、少しだけ剥離紙をめくって粘着剤層６の一部を露出させておき、この露出した粘着剤層６を衣服の仮止め用として襟用吸汗シート１を所定の位置に仮止めし、その後更に左右に剥離紙７を剥がすことによってしっかりと襟元に貼着する。このように、剥離紙７の長手方向中央部にミシン目８を設けておくことによって、剥離紙７を全て剥がさずに襟用吸汗シート１を固定することができるため、粘着剤層６が髪の毛にくっついたり、粘着剤層６同士がくっついたりすることがなくなり、衣服を着たままでも衣服の襟元に貼着しやすくなる。
【００４０】
更に、襟用吸汗シート１を襟元に仮止め後、剥離紙７を左右に剥がす際、粘着剤層６が長手方向両端部に向けて短手方向の他方側に漸次拡大するように形成されているため、粘着剤層６を粘着剤層形成エリアＡの全面に形成したときより剥離時の抵抗力が各段に小さくなり、スムーズに剥離することができ、仮止めした吸汗シートが剥がれたりずれたりすることなく、スムーズな貼着作業が可能になる。
【００４１】
ところで、前記粘着剤層６及び剥離紙７は、種々の形態で形成することができる。図５に示されるように、粘着剤層６には、剥離紙７の分割部分又は分割線（ミシン目８）を含む長手方向中央部であって、短手方向のうち粘着剤層６が設けられている一方側の端部に、該粘着剤層６が形成されない非形成部９を設けるようにしてもよい。この非形成部９を設けることにより、この部分から剥離紙７をめくりやすくすることができる。
【００４２】
また、図６及び図７に示されるように、粘着剤層６は、前述の粘着剤層６の形成領域において、剥離紙７を剥がす方向とほぼ同じ方向に沿う縞状に形成してもよい。図６に示される例は、剥離紙７が長手方向中央部で分割されるか、あるいは分割可能な分割線が設けられた場合であり、粘着剤層６の縞は、長手方向中央部の短手方向一方側（装着時の下側）から、長手方向両端部の短手方向他方側（装着時の上側）に向けて形成されている。これにより、粘着剤層６と剥離紙７との接着抵抗が低減されるため、分割部分又は分割線の下端から両側の斜め上方に剥離紙を剥離する際に小さな力でも剥離できるようになり、剥離紙７が剥がしやすくなる。ここで、粘着剤層６の縞の角度は、長手方向両端部における粘着剤層６の漸次拡大する角度とほぼ同じ角度で形成することが好ましい。具体的な縞の角度としては、長手方向線との成す角度が３０°〜７０°、好ましくは５０°程度とする。
【００４３】
他方、図７に示される例は、剥離紙７として、分割されず且つ分割線が形成されないものであって、粘着剤層６を一体的に覆うものを使用した場合であり、粘着剤層６の縞は、長手方向一方側端で短手方向一方側端（装着時の下側端）の隅から、長手方向他方側端で短手方向他方側端（装着時の上側端）の隅に向けて形成されている。この場合も同様に、長手方向一方側端で短手方向一方側端の隅から斜め上方に剥離紙７が剥がしやすくなる。
【００４４】
ここで図６及び図７に示される縞の寸法は、粘着剤の塗布幅が３〜１２ｍｍ、好ましくは５ｍｍ程度とし、粘着剤同士の離間幅が１〜５ｍｍ、好ましくは１ｍｍ程度とする。これにより、剥離紙７を剥離する時の抵抗力が小さくなりスムーズに剥離することができ、かつ粘着力も維持できるので、多少の圧力がかかっても剥がれたりずれたりしにくくなる。
【００４５】
図８に示されるように、剥離紙７が長手方向中央部で分割される場合、左右の剥離紙７が長手方向中央部において重なり代１０を持つように配設してもよい。これにより、重なり代１０の部分で上方に重なった一方の剥離紙７の端部が摘みやすくなり、剥離紙７の剥離がしやすくなる。重なり代１０の幅は、３〜１０ｍｍ、好ましくは５ｍｍとするのがよい。
【００４６】
図９に示されるように、剥離紙７として長手方向中央部で分割されるか、あるいは分割可能な分割線が設けられたものを用いた場合、剥離紙７は、前記分割部分又は分割線を含む長手方向中央部であって、短手方向のうち粘着剤層６が設けられている側の端部に切欠き部１１を設けることができる。これにより、切欠き部１１から剥離紙７を剥がしやすくなる。切欠き部１１の短手方向端部からの切込み深さは、剥離紙７の短手方向長さの１／５程度とするのが好ましい。
【００４７】
〔他の形態例〕
(1)上記形態例では、襟用吸汗シート１は、裏面シート２と表面シート３との間に吸収体が介在された構造としたが、少なくとも吸液性を有するシートが含まれていれば良く、不織布シートやコットンシート単独の構造でも構わない。
(2)上記形態例では、長手方向中央部Ａ１において、粘着剤層形成エリアＡの短手方向の一方側端から所定の幅で長手方向に沿って帯状の領域に形成するとともに、長手方向両端部Ａ２、Ａ２において、前記長手方向中央部Ａ１の粘着剤層６から連続して、長手方向両端に向けて短手方向の他方側端に直線状に拡大する領域に形成されるようにしたが、長手方向両端部Ａ２、Ａ２において、長手方向両端部に向けて短手方向の他方側端に曲線状に拡大する領域に形成してもよい。また、長手方向中央部Ａ１及び長手方向両端部Ａ２が特に判別できないような長手方向に連続して湾曲するような曲線状に形成してもよい。
【符号の説明】
【００４８】
１…襟用吸汗シート、２…裏面シート、３…表面シート、４…吸収体、５…クレープ紙、６…粘着剤層、７…剥離紙
【図１】
0005856773.tif 000002
【図２】
0005856773.tif 000003
【図３】
0005856773.tif 000004
【図４】
0005856773.tif 000005
【図５】
0005856773.tif 000006
【図６】
0005856773.tif 000007
【図７】
0005856773.tif 000008
【図８】
0005856773.tif 000009
【図９】
0005856773.tif 000010